(57)【要約】      （修正有）【課題】穴あけ作業が容易な穴あけパンチを提供する。【解決手段】２つの貫通孔１０２が形成されると共に、上面に該貫通孔と対応する取付フレーム１１が設けられ、各取付フレーム１１とベース１０との間に紙を挿入するための隙間が形成される中空なベース１０と、前記取付フレーム１１の側壁の間に摺動可能のように設けられ、下端に刃部４５が設けられる２つの刃部材４０と、前記刃部材に枢設される２つのアーム部材２０と、を備え、前記アーム部材２０は、前記刃部材に枢設される下アーム２１と、前記下アームに枢設される上アーム２２と、押圧部３１を有し、該押圧部の前端に前方へ向かって突出する２つの回転アーム３２が設けられ、各回転アームの前端が取付フレーム１１に枢設され、該上アームに該回転アームが枢設され、回転アームと取付フレームとの間に弾性部材３６が設けられることにより、回転部材３０の押圧部を上方へ付勢させる回転部材とを含む。【選択図】図２
0003119540.tif 000002
【実用新案登録請求の範囲】
【請求項１】
２つの貫通孔が形成されると共に、上面に該貫通孔と対応する取付フレームが設けられ、各取付フレームとベースとの間に紙を挿入するための隙間が形成される中空なベースと、
前記取付フレームの側壁の間に摺動可能のように設けられ、下端に刃部が設けられる２つの刃部材と、
前記刃部材に枢設される２つのアーム部材と、を備え、
前記アーム部材は、前記刃部材に枢設される下アームと、
前記下アームに枢設される上アームと、
押圧部を有し、該押圧部の前端に前方へ向かって突出する２つの回転アームが設けられ、各回転アームの前端が取付フレームに枢設され、該上アームに該回転アームが枢設され、回転アームと取付フレームとの間に弾性部材が設けられることにより、回転部材の押圧部を上方へ付勢させる回転部材とを含むことを特徴とする、穴あけパンチ。
【請求項２】
前記取付フレームの両側に夫々摺動溝を有する側壁が設けられ、前記下アームの前端に取付フレームの両側と対応する側壁が設けられ、各側壁に枢設孔が形成され、各刃部材に取付フレームの摺動溝と対応する貫通孔が形成され、各貫通孔と摺動溝と枢設孔に第１枢軸が設けられ、
各取付フレームの側壁の前端に係合溝が形成され、下アームの両側の前端に係合溝が形成され、
前記回転アームの前端の両側に枢設孔が形成され、該枢設孔と係合溝に第２枢軸が設けられることを特徴とする、請求項１に記載の穴あけパンチ。
【請求項３】
前記２つの刃部材の刃部の高さが異なり、前記弾性部材は夫々対応する第２枢軸に設けられるスプリングであることを特徴とする、請求項２に記載の穴あけパンチ。
【考案の詳細な説明】
【技術分野】
【０００１】
本考案は、特に穴あけ作業が容易な穴あけパンチに関するものである。
【背景技術】
【０００２】
従来の穴あけパンチは、中空のベース上面に２つの貫通孔が形成されると共に、２つの取付フレームが設けられ、該取付フレームとベースの上面との間に紙を挿入するための隙間が形成され、該取付フレームに回転部材が設けられ、該回転部材と取付フレームとの間に弾性部材が設けられ、又、取付フレームに回転部材と枢設されると共に、下端に刃部を有する刃部材が設けられ、回転部材を押圧すると、刃部材の刃部が隙間と貫通孔を貫通することにより、隙間における紙に孔を開ける。
【考案の開示】
【考案が解決しようとする課題】
【０００３】
しかしながら、前記従来の穴あけパンチを使用する場合、２つの刃部材は同時に作動すると共に、紙に孔を開けるため、厚い紙に孔を開ける際、力がかかるという問題を有し、非常に不便である。
【０００４】
そこで、案出されたのが本考案であって、穴あけ作業が容易な穴あけパンチを提供することを目的としている。
【課題を解決するための手段】
【０００５】
本願の請求項１の考案は、２つの貫通孔が形成されると共に、上面に該貫通孔と対応する取付フレームが設けられ、各取付フレームとベースとの間に紙を挿入するための隙間が形成される中空なベースと、
前記取付フレームの側壁の間に摺動可能のように設けられ、下端に刃部が設けられる２つの刃部材と、
前記刃部材に枢設される２つのアーム部材と、を備え、
前記アーム部材は、前記刃部材に枢設される下アームと、
前記下アームに枢設される上アームと、
押圧部を有し、該押圧部の前端に前方へ向かって突出する２つの回転アームが設けられ、各回転アームの前端が取付フレームに枢設され、該上アームに該回転アームが枢設され、回転アームと取付フレームとの間に弾性部材が設けられることにより、回転部材の押圧部を上方へ付勢させる回転部材とを含むことを特徴とする穴あけパンチ、を提供する。
【０００６】
本願の請求項２の考案は、前記取付フレームの両側に夫々摺動溝を有する側壁が設けられ、前記下アームの前端に取付フレームの両側と対応する側壁が設けられ、各側壁に枢設孔が形成され、各刃部材に取付フレームの摺動溝と対応する貫通孔が形成され、各貫通孔と摺動溝と枢設孔に第１枢軸が設けられ、
各取付フレームの側壁の前端に係合溝が形成され、下アームの両側の前端に係合溝が形成され、
前記回転アームの前端の両側に枢設孔が形成され、該枢設孔と係合溝に第２枢軸が設けられることを特徴とする請求項１に記載の穴あけパンチ、を提供する。
【０００７】
本願の請求項３の考案は、前記２つの刃部材の刃部の高さが異なり、前記弾性部材は夫々対応する第２枢軸に設けられるスプリングであることを特徴とする請求項２に記載の穴あけパンチ、を提供する。
【考案の効果】
【０００８】
本考案は上記の課題を解決するものであり、回転部材はアーム部材を介して刃部材に間接的に枢設され、回転部材の押圧力を夫々上アームと下アームに伝え、該上アームと下アームの長さが長ければ長いほど省力することができ、又、高さの異なる刃部材により、楽に従来より半分の力で順序に紙に孔を開けることができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係る穴あけパンチの斜視図であり、図２は本考案に係る穴あけパンチの分解斜視図であり、図３は本考案に係る穴あけパンチの側面図であり、図４は本考案に係る穴あけパンチの断面図であり、図５は本考案に係る穴あけパンチの使用状態を示す断面図であり、図６は本考案に係る穴あけパンチの使用状態を示す断面図である。
【００１１】
図１及び図２に示すように、本考案に係る穴あけパンチは、ベース（１０）と、２つの刃部材（４０）（４０a）と、２つのアーム部材（２０）と、回転部材（３０）とを備える。
【００１２】
又、図３及び図４に示すように、前記ベースは、底部に切り落とした紙を収容するための中空部（１０１）が形成され、更に２つの貫通孔（１０２）が形成されると共に、上面に該貫通孔（１０２）と対応する取付フレーム（１１）が設けられ、各取付フレーム（１１）の両側に夫々摺動溝（１１３）を有する側壁が設けられ、該側壁の前端に係合溝（１１５）が形成され、各取付フレーム（１１）とベース（１０）との間に紙を挿入するための隙間（１２）が形成される。
【００１３】
前記刃部材（４０）（４０a）は摺動可能のように取付フレーム（１１）の側壁の間に設けられ、下端に刃部（４５）が設けられ、２つの刃部（４５）の高さが異なり、又、各刃部材（４０）（４０a）に取付フレーム（１１）の摺動溝（１１３）と対応する貫通孔（４３）が形成され、各貫通孔（４３）と摺動溝（１１３）に第１枢軸（４７）が設けられる。
【００１４】
前記アーム部材（２０）は夫々各刃部材（４０）（４０a）に枢設されると共に、下アーム（２１）と上アーム（２２）を有し、該下アーム（２１）が前記刃部材（４０）（４０a）に枢設され、前端に取付フレーム（１１）の両側と対応する側壁（２１１）が設けられ、各側壁（２１１）に前記刃部材（４０）（４０a）における第１枢軸（４７）を貫通するための枢設孔（２１３）が形成され、又、下アーム（２１）の両側の前端に係合溝（２１５）が形成され、該下アーム（２１）に上アーム（２２）が枢設される。
【００１５】
前記アーム部材（２０）に押圧部（３１）を有する回転部材（３０）が設けられ、該押圧部（３１）の前端に前方へ向かって突出する２つの回転アーム（３２）が設けられ、各回転アーム（３２）の前端の両側に枢設孔（３２５）が形成され、該枢設孔（３２５）と係合溝（１１５）（２１５）に第２枢軸（３５）が設けられることにより、回転アーム（３２）の前端が取付フレーム（１１）に枢設される。又、該回転アーム（３２）が前記同様な手段で上アーム（２２）に枢設され、回転アーム（３２）と取付フレーム（１１）との間に弾性部材（３５）が設けられることにより、回転部材（３０）の押圧部（３１）を上方へ付勢させる。又、前記弾性部材（３６）は夫々対応する第２枢軸（３５）に設けられるスプリングである。
【００１６】
図５に示すように、回転部材（３０）の押圧部（３１）を押圧すると、高さが低い右側における刃部材（４０a）の刃部（４５）が先に隙間（１２）を通過することにより、紙に孔を開け、この際、高さが高い左側における刃部材（４０）の刃部（４５）が隙間（１２）を通過しないので、紙に孔を開けない。
【００１７】
図６に示すように、回転部材（３０）の押圧部（３１）を押圧し続けると、高さが高い左側における刃部材（４０）の刃部（４５）も隙間（１２）を通過することにより、紙に孔を開ける。
【産業上の利用可能性】
【００１８】
本考案は上記の構成を有するので、回転部材はアーム部材を介して刃部材に間接的に枢設され、回転部材の押圧力を夫々上アームと下アームに伝え、該上アームと下アームの長さが長ければ長いほど省力することができ、又、高さの異なる刃部材により、楽に従来より半分の力で順序に紙に孔を開けることができる。
【図面の簡単な説明】
【００１９】
【図１】本考案に係る穴あけパンチの斜視図である。
【図２】本考案に係る穴あけパンチの分解斜視図である。
【図３】本考案に係る穴あけパンチの側面図である。
【図４】本考案に係る穴あけパンチの断面図である。
【図５】本考案に係る穴あけパンチの使用状態を示す断面図である。
【図６】本考案に係る穴あけパンチの使用状態を示す断面図である。
【符号の説明】
【００２０】
１０        ベース
１０１      中空部
１０２      貫通孔
１１        取付フレーム
１１３      摺動溝
１１５      係合溝
１２        隙間
２０        アーム部材
２１        下アーム
２１１      側壁
２１３      枢設孔
２１５      係合溝
２２        上アーム
３０        回転部材
３１        押圧部
３２        回転アーム
３２５      枢設孔
３５        第２枢軸
３６        弾性部材
４０        刃部材
４０a        刃部材
４３        貫通孔
４５        刃部
４７        第１枢軸
【図１】
0003119540.tif 000003
【図２】
0003119540.tif 000004
【図３】
0003119540.tif 000005
【図４】
0003119540.tif 000006
【図５】
0003119540.tif 000007
【図６】
0003119540.tif 000008